(57)【要約】【課題】本発明は、内容量の増加に伴う包装材の強度向上、および気密性保持を両立することのできる農薬用の包装袋及び農薬の包装方法を提供することを課題とする。【解決手段】本発明は、農薬用の包装袋であって、樹脂製の補強材が内貼りされた紙製の外側包装体と、非透湿性のシートによって形成されており、粒状、粉状または液状の農薬を充填可能な内側包装体と、を備え、内側包装体は、内側包装体の開口部沿いを除いた部分が外側包装体に対し非接着の状態で外側包装体内に固定されている。【選択図】図１
2020050391.tif 000002
【特許請求の範囲】
【請求項１】
樹脂製の補強材が内貼りされた紙製の外側包装体と、
非透湿性のシートによって形成されており、粒状、粉状または液状の農薬を充填可能な内側包装体と、を備え、
前記内側包装体は、前記内側包装体の開口部沿いを除いた部分が前記外側包装体に対し非接着の状態で前記外側包装体内に固定されている、
農薬用の包装袋。
【請求項２】
前記内側包装体は、前記内側包装体の開口部を前記外側包装体の外側からの加熱による熱溶着で封止する際のシール温度が、前記補強材の融点よりも低いシートで形成されている、
請求項１に記載の農薬用の包装袋。
【請求項３】
前記内側包装体は、前記外側包装体に接する面のうち前記内側包装体の開口部沿いの部分が接着剤によって前記外側包装体内に接着されている、
請求項１または２に記載の農薬用の包装袋。
【請求項４】
前記内側包装体は、前記外側包装体の開口部を封止する部位が、前記内側包装体の開口部を封止する熱溶着の部分と該開口部の縁との間に設けられている、
請求項３に記載の農薬用の包装袋。
【請求項５】
前記非透湿性のシートとは、アルミニウムをフィルムに蒸着したシートまたはアルミニウム製のシートである、
請求項１から４の何れか一項に記載の農薬用の包装袋。
【請求項６】
前記外側包装体は、樹脂製のクロスを前記補強材としてクラフト紙に内貼りした包装体である、
請求項１から５の何れか一項に記載の農薬用の包装袋。
【請求項７】
充填される農薬の量が５〜３０ｋｇである、
請求項１から６の何れか一項に記載の農薬用の包装袋。
【請求項８】
請求項１から７の何れか一項に記載の農薬用の包装袋に前記農薬を充填する工程と、
前記内側包装体の開口部を前記外側包装体の外側からの加熱による熱溶着で封止する工程と、
前記外側包装体の開口部を封止する工程と、を有する、
農薬の包装方法。
【発明の詳細な説明】
【技術分野】
【０００１】
本願は、農薬用の包装袋及び農薬の包装方法に関する。
【背景技術】
【０００２】
農薬用の包装袋としては、様々な形態のものが提案されているが、固形農薬の水田などへの投げ込みや水田の水口に設置して使用する農薬包装袋に関するものである（特許文献１〜２を参照）。
【先行技術文献】
【特許文献】
【０００３】
【特許文献１】特開２００１−１０６８４号公報
【特許文献２】特開２０１０−８３８６９号公報
【発明の概要】
【発明が解決しようとする課題】
【０００４】
農薬は、例えば、紙袋等の包装容器（以下、包装袋ということもある）に充填された状態で運搬される。農薬の包装袋は、粉剤、粒剤などの固形状の農薬が充填される場合、農薬が外気や水に接触することによる劣化を防ぐための気密性が求められ、通常、外装部分を形成する包装材の内側に、気密性を担保する包装材を内貼りした複層構造を有している。
【０００５】
また、農薬が充填される包装袋には、運搬時における落下、荷崩れ、容器同士のこすれ等による破袋リスクに備え、落下等の衝撃に耐える強度が求められる。包装袋の耐衝撃性が低いと、気密性を担保するための内貼りした包装材に破れ等の損傷が生じ、農薬に劣化が生じ商品価値が失われてしまう一方、内貼りした包装材に破れが生じなくても、運搬中に外装部分が大きく破損すると、商品価値が失われてしまうという農薬業界特有の事情も存在する。
【０００６】
通常、農薬の流通は、全国農業協同組合連合会等の各種事業体を通じて農家へ供給されるが、近年、経費抑制のために農薬を安価に調達することを望む農家は、発注単位あたりの量が比較的多い農薬を全国農業協同組合連合会等の各種事業体から購入し、農薬メーカーが農家に直接配送することも行われている。
【０００７】
この場合、発注単位当たりの量が比較的多い農薬の包装は、開封作業や農薬の調合作業の効率性の面から、互いに結束されて実質的に一体化された複数の小さい容器に充填された状態による包装よりは、容積の大きい包装袋が用いられることが多い。袋の内容量が大きくなると、充填されている農薬の重量の増加により、袋の各部に加わる荷重の大きさも増加し、破袋の危険性が増大する。また、農薬が直接、農家に配送されることになると、配送距離も延伸することになり、その分、破袋の危険性が増えることなるため、農薬が充填される包装袋は、落下等の衝撃に耐える強度が、より求められることとなった。
【０００８】
一方で、農薬の包装袋には前述のとおり、気密性も求められ、気密性を担保するために内貼りされる包装材としては、例えば、アルミニウムをフィルムに蒸着したシートや、アルミニウム製のシートといった非透湿性のシートが挙げられるが、農薬が充填される包装袋の強度を高めるために内貼りした包装材の強度を上げると、包装材が厚くなり、農薬充填後の包装袋の封止時に密閉性に問題が生じるなどの問題があった。
【０００９】
そこで、本発明は、内容量の増加に伴う包装材の強度向上、および気密性保持を両立することのできる農薬用の包装袋及び農薬の包装方法を提供することを課題とする。
【課題を解決するための手段】
【００１０】
上記課題を解決するため、本発明では、非透湿性のシートによって形成される内側包装体を、開口部沿いを除いた部分が外側包装体に対し非接着の状態で外側包装体内に固定することにした。
【００１１】
詳細には、本発明は、農薬用の包装袋であって、樹脂製の補強材が内貼りされた紙製の外側包装体と、非透湿性のシートによって形成されており、粒状、粉状または液状の農薬を充填可能な内側包装体と、を備え、内側包装体は、内側包装体の開口部沿いを除いた部分が外側包装体に対し非接着の状態で外側包装体内に固定されている。
【００１２】
ここで、内側包装体の開口部沿いとは、内側包装体の外側の面のうち、該内側包装体内へ充填される農薬が通過する開口部沿いにある領域であり、例えば、該開口部の縁に接する領域であってもよいし、該開口部の縁から多少離間する領域であってもよい。
【００１３】
上記の包装袋では、外側包装体が樹脂製の補強材で補強されている。よって、外側包装材の何れかの部位に外側から衝撃が加わっても、外側包装材の損傷は、補強材によって可及的に抑制される。さらに、上記の包装袋であれば、内側包装体のうち開口部沿いを除いた部分が外側包装体に対し非接着の状態で外側包装体内に固定されているため、外側包装体を形成する素材と内側包装体を形成する素材とが完全に密着していないことにより生じる両素材の空間、ずれ等により、落下等の斜め方向からの衝撃を緩和することによって、内側包装体の損傷、および、外側包装材の損傷をもが可及的に抑制される。
【００１４】
外側から衝撃が加わった際に生じ得る包装袋の損傷の可能性は、袋の内容量が大きくなるにしたがって大きくなるが、上記の包装袋であれば、外側包装体が樹脂製の補強材で補強され、内側包装体のうち開口部沿いを除いた部分が外側包装体に対し非接着の状態で外側包装体内に固定されているため、外側包装体への局部的な衝撃が内側包装体において緩和され、また、同時に外側包装体への衝撃も、樹脂製の補強材と外側包装体を形成する素材と内側包装体を形成する素材とが完全に密着していないことにより生じる両素材の空間、ずれ等により、外側包装体や内側包装体の損傷が可及的に抑制されることになる。よって、外側から衝撃が加わった際に生じ得る損傷に耐えるだけの強度を内側包装体に付与する必要が無い。したがって、上記の包装袋であれば、袋の内容量を大きくしても、農薬が外気や水に接触することによる劣化を防ぐための気密性を内側包装体で担保しつつ、包装袋に外側から加わる衝撃に対して外側包装体で耐えることが可能であり、内側包装体の密閉性に問題が生じる可能性のある内容量の増加に伴う内側包装体の強度向上の必要性を可及的に抑制することができる。
【００１５】
なお、内側包装体は、内側包装体の開口部を外側包装体の外側からの加熱による熱溶着で封止する際のシール温度が、補強材の融点よりも低いシートで形成されていてもよい。このような融点のシートで形成される内側包装体であれば、外側包装体の外側からの加熱による熱溶着を行うにあたり、外側包装体を補強する補強材の溶解を防ぐことが可能となる。
【００１６】
また、内側包装体は、外側包装体に接する面のうち内側包装体の開口部沿いの部分が接着剤によって外側包装体内に接着されていてもよい。内側包装体の開口部沿いの部分が外側包装材に接着剤で接着されていれば、内側包装体内へ農薬を充填する際、外側包装材の開口部を広げれば内側包装体の開口部も広がるため、農薬が外側包装体と内側包装体との隙間に誤って入る可能性を可及的に抑制することができる。
【００１７】
また、内側包装体は、外側包装体の開口部を封止するための部位が、内側包装体の開口部を封止する熱溶着の部分と該開口部の縁との間に設けられていてもよい。このような部位が設けられていれば、例えば、外側包装体の開口部を封止するミシン縫い用のミシン糸が内側包装体を貫通するような形態で縫い付けられても、また、外側包装体の開口部を折り返してクラフトテープ止めする場合であっても、内側包装体の気密性が損なわれない。
【００１８】
また、非透湿性のシートとは、アルミニウムをフィルムに蒸着したシートまたはアルミニウム製のシートであってもよい。このようなシートであれば、農薬が充填される内側包装体内の気密性を確保することができるため、農薬が外気や水に触れることによる劣化を抑制することができる。
なお、アルミニウム製のシートとしては、アルミニウムをナイロン、ポリエチレンなど種類の異なる熱可塑性の樹脂フィルムで挟んだ三層構造のアルミニウム製シートなどが挙げられる。
【００１９】
また、外側包装体は、樹脂製のクロスを補強材としてクラフト紙に内貼りした包装体であってもよい。このような外側包装体であれば、包装袋の外側から衝撃が加わっても、外側包装体の損傷は、当該樹脂製のクロスによって可及的に抑制される。また、包装袋への局部的な衝撃により、クラフト紙のごく一部が破袋しても、外側包装体の内外を貫通するような穴の発生は当該クロスによって可及的に抑制される。
【００２０】
なお、樹脂製のクロスとは、１平方インチの中にポリエチレンなどの樹脂の平状の糸が縦横、６〜１０本で編み込まれている樹脂を指す。本発明の補強材としての樹脂クロスは、１平方インチにポリエチレン製の８本の平状の糸が組み合わされた（８×８）ものが好ましい。
【００２１】
また、本発明は、方法の側面から捉えることもできる。すなわち、本発明は、例えば、農薬の包装方法であって、上記の農薬用の包装袋に農薬を充填する工程と、内側包装体の開口部を外側包装体の外側からの加熱による熱溶着で封止する工程と、外側包装体の開口部を封止する工程と、を有するものであってもよい。
【発明の効果】
【００２２】
上記の農薬用の包装袋及び農薬の包装方法であれば、内容量の増加に伴う包装材の強度向上、および気密性保持を両立することができる。
【図面の簡単な説明】
【００２３】
【図１】図１は、実施形態に係る包装袋の構成図である。
【図２】図２は、包装袋の取扱い方法を示した図である。
【図３】図３は、外側包装体の構造を示した分解斜視図である。
【発明を実施するための形態】
【００２４】
以下、実施形態について説明する。以下に示す実施形態は、単なる例示であり、本開示の技術的範囲を以下の態様に限定するものではない。
【００２５】
図１は、実施形態に係る包装袋の構成図である。図１（Ａ）は、包装袋１の正面図を示す。また、図１（Ｂ）は、図１（Ａ）の符号Ａ−Ａで示される一点鎖線で包装袋１を切断した場合の断面図を示す。また図１（Ｃ）は、図１（Ａ）の符号Ｂ−Ｂで示される一点鎖線で包装袋１を切断した場合の断面図を示す。包装袋１の理解を容易にするため、図１では、内容物として農薬Ｎが充填されて封止された状態の包装袋１を図示している。
【００２６】
包装袋１は、図１に示されるように、外側包装体２と内側包装体３とを備える農薬Ｎ用の包装袋である。外側包装体２は、包装袋１の外装を形成する袋状の包装体である。また、内側包装体３は、外側包装体２の内部に固定される袋状の包装体である。農薬Ｎは、内側包装体３の中に充填されている。
【００２７】
外側包装体２は、シート状の素材で形成されている。すなわち、外側包装体２は、長尺のシートを長手方向に沿って筒状に巻き、シート同士が重なり合うシート両側の縁同士を接着剤で貼り合わせることにより貼着部Ｒ４が形成された筒状のシート体を適当な長さに裁断し、筒状のシート体に形成される２つの開口部のうちの一つを封かん５で塞いでミシン糸７をミシン縫いで縫い付けて袋状にしたものである。
【００２８】
内側包装体３も外側包装体２と同様であり、シート状の素材で形成されている。但し、外側包装体２が紙製であるのに対し、内側包装体３は、熱可塑性の樹脂製フィルムにアルミニウムを蒸着したフィルム（アルミ蒸着フィルムとも呼ばれる）または、アルミニウムをナイロン、ポリエチレンなど種類の異なる熱可塑性の樹脂フィルムで挟んだ三層構造からなるアルミニウム製のシートで形成されている。よって、内側包装体３は、長尺のシートを長手方向に沿って筒状に巻き、シート同士が重なり合うシート両側の縁同士を熱溶着して貼り合わせることにより溶着部Ｒ５が形成された筒状のシート体を適当な長さに裁断し、筒状のシート体に形成される２つの開口部のうちの一つを熱溶着して溶着部Ｒ３を形成することにより当該開口部を塞いで袋状にしたものとなっている。
【００２９】
そして、包装袋１は、上記したように袋状の外側包装体２内に内側包装体３が挿入された状態で、当該内側包装体３の開口部８沿いが外側包装体２の内面に接着される。これにより、内側包装体３は、接着部Ｒ２を介して外側包装体２内に固定される。よって、包装袋１では、内側包装体３内へ農薬Ｎが充填される際、外側包装体２の開口部９が開け広げられることにより、内側包装体３の開口部８も開け広げられることになる。よって、包装袋１では、農薬Ｎが外側包装体２と内側包装体３との隙間に誤って入ることが無い。
【００３０】
そして、内側包装体３は、内側包装体３内に農薬Ｎが充填された状態で内側包装体３の開口部８が熱溶着されて溶着部Ｒ１が形成されることにより、農薬Ｎが充填された内側包装体３内を密封する。また、外側包装体２は、開口部９が封かん４に塞がれた状態でミシン糸６がミシン縫いで縫い付けられることにより、内側包装体３が収容された外側包装体２内を密封する。
【００３１】
図２は、包装袋１の取扱い方法を示した図である。農薬Ｎを封止する前の包装袋１は、図２（Ａ）に示されるように、外側包装体２の開口部９と内側包装体３の開口部８の何れも開かれた状態となっている。そして、内側包装体３が内側包装体３の開口部８沿いにある接着部Ｒ２を介して外側包装体２内に固定されているため、図２（Ｂ）に示されるように、内側包装体３内へ農薬Ｎが充填される際、農薬Ｎが外側包装体２と内側包装体３との隙間に誤って入ることなく、内側包装体３内へ農薬Ｎが充填される。
【００３２】
そして、農薬Ｎの封止に際しては、図２（Ｃ）において太い矢印で示されるように、開口部８沿いにおける外側包装体２の外側からの加熱による熱溶着により、アルミニウムを蒸着した樹脂製のフィルムによって形成される内側包装体３が僅かに溶解し、開口部８沿いにおいて内側包装体３の内面同士が熱溶着する。これにより、内側包装体３内が封止された状態となる。その後、図２（Ｄ）に示されるように、外側包装体２は、開口部９が封かん４に塞がれた状態でミシン糸６がミシン縫いで縫い付けられることにより、内側包装体３が収容された外側包装体２内を密封する。なお、内側包装体３には、ミシン糸６を縫い付けるための縫い代が、溶着部Ｒ１と開口部８の縁との間に設けられている。よって、ミシン糸６が内側包装体３を貫通するような形態で縫い付けられても、内側包装体３の気
密性が損なわれることはない。
【００３３】
また、図１、２に例示はされていないが、外側包装体２は、開口部９が折り返して、クラフトテープで止めてもよい。この場合においても、溶着部Ｒ１により内側包装体３の気密性が損なわれることはない。
【００３４】
以上により、農薬Ｎの包装が完了する。よって、農薬Ｎは、包装袋１に包装された状態で運搬可能となる。
【００３５】
ところで、外側包装体２は、外装を形成するクラフト紙に樹脂製の補強材を内貼りしたものである。図３は、外側包装体２の構造を示した分解斜視図である。外側包装体２は、図３に示されるように、クラフト紙２Ａの片面に補強クロス２Ｂを貼り合わせたシートである。クラフト紙２Ａが紙製であるのに対し、補強クロス２Ｂは、樹脂製の細長いテープを図３に示すように縦横に編んでシート状にしたものであり、シート面に平行な方向に沿って作用する引っ張り力に対し、クラフト紙２Ａよりも高い強度を発揮する。そして、補強クロス２Ｂは、クラフト紙２Ａに対して接着剤で全面的に接着されている。よって、クラフト紙２Ａが包装袋１の外装面として露出する状態で包装袋１の何れの部位に外側から衝撃が加わっても、クラフト紙２Ａの損傷は、補強クロス２Ｂによって可及的に抑制される。また、仮に包装袋１への局部的な衝撃により、クラフト紙２Ａが補強クロス２Ｂから部分的に削り落とされても、補強クロス２Ｂがクラフト紙２Ａに対して全面的に接着されるシート体であるため、外側包装体２の内外を貫通するような穴の発生は、第一には補強クロス２Ｂによって可及的に抑制される。
【００３６】
そして、上記外側包装体２がクラフト紙２Ａを補強クロス２Ｂで補強したものであるのに対し、内側包装体３は、樹脂製のフィルムにアルミニウムを蒸着したフィルム、またはアルミニウム製のシートである。したがって、包装袋１に落下等による衝撃が加わった際、外側包装体２と内側包装体３に衝撃が加わることになる。しかしながら、包装袋１では、接着部Ｒ２の部分を除き、内側包装体３が外側包装体２に対して非接着の状態で外側包装体２内に固定されているため、外側包装体２に外側から局部的な衝撃が加わっても、当該部分において外側包装体２と内側包装体３が互いに摺動することにより、当該衝撃による外側包装体２の局部的な衝撃が内側包装体３に与える影響が緩和される。
また、包装体１にねじれが生じるような外部からの衝撃があった場合、内側包装体３が外側包装体２に対して完全に接着していると、内側包装体３と外側包装体２の強度差に起因する伸び、引っ張りにより、外側包装体２の損傷の可能性も考えられるが、包装体１は接着部Ｒ２の部分を除き、内側包装体３が外側包装体２に対して非接着の状態で外側包装体２内に固定されているため、そのような損傷も可及的に抑制される。結果、包装体１の包装材の損傷は可及的に抑制される。
【００３７】
このように、包装袋１によれば、内側包装体３が接着部Ｒ２の部分を除いて外側包装体２に対して非接着の状態で外側包装体２内に固定されているため、落下等による衝撃は、袋の内容量が大きくなるにしたがって大きくなるが、上記実施形態の包装袋１であれば、内側包装体３が接着部Ｒ２の部分を除いて外側包装体２に対して非接着の状態で外側包装体２内に固定されているため、外側包装体２と内側包装体３が互いに摺動することにより、外側包装体２の局部的な衝撃が内側包装体３に与える影響が緩和され、同時に外側包装体２に対する衝撃も緩和されうる。よって、外側から衝撃が加わった際に生じ得る、内側包装体３の損傷に耐えるだけの強度を内側包装体３に付与する必要が無い。したがって、上記実施形態の包装袋１であれば、袋の内容量を大きくしても、農薬Ｎが外気や水に接触することによる劣化を防ぐための気密性を内側包装体３で担保しつつ、包装袋１に外側から加わる衝撃に対して外側包装体２で耐えることが可能であり、内容量の増加に伴う包装材の強度向上および気密性を保つことが両立できる。
【００３８】
上記実施形態の包装袋１に相当する試験品を試作し、その検証を行ったので、検証結果を以下に示す。
【００３９】
本検証では、坪量が７５ｇ／ｍ２のクラフト紙２Ａに、ラミ厚（ラミネートされた状態の厚さ）が２０μｍで１平方インチあたりの打ち込み本数が縦と横の何れも８本のポリエチレン製の樹脂クロスを補強クロス２Ｂとしてラミネートすることによって作成された外側包装体２と、厚さ１５μｍのナイロン製フィルムに厚さ７μｍのアルミニウムを貼り合わせ、更に厚さ７０μｍのＬＬＤＰＥ（Linear Low Density Polyethylene）製フィルム
を貼り合わせたアルミニウム製のシートを使って作成された内側包装体３とを用いて包装袋１を試作した。本試作で用いた外側包装体２の補強クロス２Ｂは、融点が１５０℃であるため、内側包装体３をヒートシールで封止する際のシール温度は補強クロス２Ｂの融点よりもやや低い１４５℃とした。
【００４０】
上記の試作品に農薬Ｎ２０Ｋｇを充填して封止し、輸送中に予想される衝撃を模擬した落下試験、具体的には当該試作品の袋を２．０ｍの高さからア）水平落下、イ）袋上部角から落下、ウ）パレット（荷物を載せるための荷役台）の角に水平落下させる試験をそれぞれ２反復行ったが、包装袋１の損傷による農薬Ｎの漏出は確認されなかった。一方、アルミ箔の内側包装体が無く、クラフト紙が樹脂クロスで補強もされていない比較例の包装袋では、同様の落下試験で包装袋の損傷による農薬の漏出が確認された。このことから、上記実施形態の包装袋１であれば、比較例に比べて、農薬が外気や水に接触することによる劣化を防ぐための気密性を担保しつつ、外側から加わる衝撃に対して耐えることが可能である。
【符号の説明】
【００４１】
１・・包装袋
２・・外側包装体
２Ａ・・クラフト紙
２Ｂ・・補強クロス
３・・内側包装体
４・・封かん
５・・封かん
６・・ミシン糸
７・・ミシン糸
８・・開口部
９・・開口部
Ｒ１・・溶着部
Ｒ２・・接着部
Ｒ３・・溶着部
Ｒ４・・貼着部
Ｒ５・・溶着部
Ｎ・・農薬
【図１】
2020050391.tif 000003
【図２】
2020050391.tif 000004
【図３】
2020050391.tif 000005